(57)【特許請求の範囲】
【請求項１】
バッテリモジュールを収容するためのバッテリケースであって、
一枚の金属板からなり、主面板と、前記主面板に対して垂直な第１の側面板と、前記第１の側面板と平行に向かい合う第２の側面板と、前記第１の側面板側に位置し、前記主面板と平行に向かい合う第１の折り返し部と、前記第２の側面板側に位置し、前記主面板と平行に向かい合う第２の折り返し部と、上端部を内側に折り曲げてなる第１のフランジ部と、下端部を内側に折り曲げてなる第３のフランジ部とを有する三面カバーと、
前記三面カバーに固定され、前記主面板と平行に向かい合う枠状のフレーム部材と、
前記フレーム部材の開口部を閉塞するよう、前記フレーム部材に着脱可能に固定された着脱カバーと、
前記三面カバー、前記フレーム部材及び前記着脱カバーによって構成される筒状体の上部を閉塞する天板と、
前記筒状体の下部を閉塞する底板と、を備え、
前記フレーム部材は、前記開口部を囲む接続面と、前記接続面の外側に位置する第１及び第２の突出部と、上端部を内側に折り曲げてなる第２のフランジ部と、下端部を内側に折り曲げてなる第４のフランジ部とを有し、
前記着脱カバーは、第１の防水部材を介して前記接続面と向かい合うよう、前記フレーム部材に固定され、
前記フレーム部材は、前記第１の突出部の外側面と前記第１の折り返し部の内側面が第２の防水部材を介して向かい合い、前記第２の突出部の外側面と前記第２の折り返し部の内側面が第３の防水部材を介して向かい合い、前記第２のフランジ部の端部が前記第１のフランジ部の端部と向かい合い、且つ、前記第４のフランジ部の端部が前記第３のフランジ部の端部と向かい合うよう、前記三面カバーに固定され、
前記天板は、前記第１及び第２のフランジ部に跨がって設けられた第４の防水部材を介して、前記筒状体に固定され、
前記底板は、前記第３及び第４のフランジ部に跨がって設けられた第５の防水部材を介して、前記筒状体に固定されていることを特徴とするバッテリケース。
【請求項２】
前記フレーム部材の厚みは、前記三面カバーよりも厚いことを特徴とする請求項１に記載のバッテリケース。
【請求項３】
前記フレーム部材は、カシメ加工によって前記三面カバーに固定されていることを特徴とする請求項１又は２に記載のバッテリケース。
【請求項４】
前記三面カバーがカラー鋼板により構成されていることを特徴とする請求項１〜３のいずれか一項に記載のバッテリケース。
【請求項５】
一枚の金属板からなり、主面板と、前記主面板に対して垂直な第１の側面板と、前記第１の側面板と平行に向かい合う第２の側面板と、前記第１の側面板側に位置し、前記主面板と平行に向かい合う第１の折り返し部と、前記第２の側面板側に位置し、前記主面板と平行に向かい合う第２の折り返し部と、上端部を内側に折り曲げてなる第１のフランジ部と、下端部を内側に折り曲げてなる第３のフランジ部とを有する別の三面カバーと、
前記別の三面カバーに固定され、前記主面板と平行に向かい合う枠状の別のフレーム部材と、
前記別の三面カバー、前記別のフレーム部材及び前記着脱カバーによって構成される別の筒状体の下部を閉塞する別の底板と、さらに備え、
前記着脱カバーは、前記フレーム部材の開口部を閉塞するよう、前記フレーム部材に固定されるとともに、前記別のフレーム部材の開口部を閉塞するよう、前記別のフレーム部材に固定され、
前記別のフレーム部材は、前記開口部を囲む接続面と、前記接続面の外側に位置する第１及び第２の突出部と、上端部を内側に折り曲げてなる第２のフランジ部と、下端部を内側に折り曲げてなる第４のフランジ部とを有し、
前記着脱カバーは、第６の防水部材を介して前記接続面と向かい合うよう、前記フレーム部材に固定され、
前記別のフレーム部材は、前記第１の突出部の外側面と前記第１の折り返し部の内側面が第７の防水部材を介して向かい合い、前記第２の突出部の外側面と前記第２の折り返し部の内側面が第８の防水部材を介して向かい合い、前記第２のフランジ部の端部が前記第１のフランジ部の端部と向かい合い、且つ、前記第４のフランジ部の端部が前記第３のフランジ部の端部と向かい合うよう、前記別の三面カバーに固定され、
前記別の底板は、前記第３及び第４のフランジ部に跨がって設けられた第９の防水部材を介して、前記別の筒状体に固定されていることを特徴とする請求項１〜４のいずれか一項に記載のバッテリケース。
【請求項６】
前記底板は、前記筒状体の内部と前記別の筒状体の内部を区画する中板を構成することを特徴とする請求項５に記載のバッテリケース。
【請求項７】
前記中板は、配線を通すことが可能な開口部を有していることを特徴とする請求項６に記載のバッテリケース。
【請求項８】
請求項１〜７のいずれか一項に記載のバッテリケースと、前記バッテリケースに収容されたバッテリモジュールとを備える蓄電池システム。
【発明の詳細な説明】
【技術分野】
【０００１】
本発明はバッテリケースに関し、防水性に優れ、かつ、より軽量で、製造コストが低減されたバッテリケースに関する。また、本発明は、このようなバッテリケースを用いた蓄電池システムに関する。
【背景技術】
【０００２】
バッテリモジュール等を内部に格納するバッテリケースは、１０年以上もの長期間、屋外設置されるため、高性能の防水防塵性、錆等に対する耐久性が必要とされる。また、バッテリモジュールの１個あたりの重さは２０〜３０ｋｇであり、これを複数個収納する場合には、バッテリケース自体も、大型でかつ重量が重いものになってしまう。
【先行技術文献】
【特許文献】
【０００３】
【特許文献１】国際公開ＷＯ２０１８／０７９０１９号公報
【発明の概要】
【発明が解決しようとする課題】
【０００４】
このため、バッテリケースの設置場所への運搬が困難となることから、現地でバッテリモジュールをバッテリケース内に収納する現地施工も要望されている。しかし、現地で施工する場合には、防水保証、組立保証等の確保が困難となる。このため、防水性に優れ、かつ、より軽量で、製造コストが低減されたバッテリケースが必要となっている。
【０００５】
本発明は、上記課題に鑑みてなされたものであり、その目的は、防水性に優れ、かつ、より軽量で、製造コストが低減されたバッテリケース及びこれを用いた蓄電池システムを提供することである。
【課題を解決するための手段】
【０００６】
本発明によるバッテリケースは、バッテリモジュールを収容するためのバッテリケースであって、一枚の金属板からなり、主面板、主面板に対して垂直な第１の側面板及び第１の側面板と平行に向かい合う第２の側面板を有する三面カバーと、三面カバーに固定され、主面板と平行に向かい合う枠状のフレーム部材と、フレーム部材の開口部を閉塞するよう、フレーム部材に着脱可能に固定された着脱カバーと、三面カバー、フレーム部材及び着脱カバーによって構成される筒状体の上部を閉塞する天板とを備えることを特徴とする。また、本発明による蓄電池システムは、上記のバッテリケースと、バッテリケースに収容されたバッテリモジュールとを備える。
【０００７】
本発明によれば、三面カバーが一枚の金属板からなることから、高い防水性を得ることできるとともに、部品点数が少ないことから軽量化を図ることが可能となる。また、一枚の金属板を折り曲げることによって三面カバーを作製することができるため、製造コストも低減される。しかも、着脱カバーが着脱可能であることから、設置後におけるバッテリモジュールの交換も容易であり、メンテナンス性が高められる。
【０００８】
本発明において、フレーム部材は開口部を囲む接続面を有し、着脱カバーは、第１の防水部材を介して接続面と向かい合うよう、フレーム部材に固定されていても構わない。これによれば、着脱カバーとフレーム部材の間の防水性が高められる。
【０００９】
本発明において、三面カバーは、第１の側面板側に位置し主面板と平行に向かい合う第１の折り返し部と、第２の側面板側に位置し主面板と平行に向かい合う第２の折り返し部とをさらに有し、フレーム部材は、接続面の外側に位置する第１及び第２の突出部をさらに有し、第１の突出部の外側面と第１の折り返し部の内側面が第２の防水部材を介して向かい合い、且つ、第２の突出部の外側面と第２の折り返し部の内側面が第３の防水部材を介して向かい合うよう、三面カバーに固定されていても構わない。これによれば、三面カバーとフレーム部材の間の防水性が高められる。
【００１０】
本発明において、フレーム部材の厚みは三面カバーよりも厚くても構わない。これによれば、三面カバーを薄くすることにより軽量化を維持しつつ、全体の機械的強度を高めることが可能となる。
【００１１】
本発明において、三面カバーは、上端部を内側に折り曲げてなる第１のフランジ部を有し、フレーム部材は、上端部を内側に折り曲げてなる第２のフランジ部を有し、第２のフランジ部の端部が第１のフランジ部の端部と向かい合うよう三面カバーに固定され、天板は、第１及び第２のフランジ部に跨がって設けられた第４の防水部材を介して筒状体に固定されていても構わない。これによれば、三面カバー及びフレーム部材の機械的強度が高められるとともに、天板と筒状体の間の防水性が高められる。
【００１２】
本発明によるバッテリケースは、筒状体の下部を閉塞する底板をさらに備え、三面カバーは下端部を内側に折り曲げてなる第３のフランジ部を有し、フレーム部材は下端部を内側に折り曲げてなる第４のフランジ部を有し、第４のフランジ部の端部が第３のフランジ部の端部と向かい合うよう三面カバーに固定され、底板は、第３及び第４のフランジ部に跨がって設けられた第５の防水部材を介して筒状体に固定されていても構わない。これによれば、複数のバッテリケースを積み重ねて使用することが可能となる。
【００１３】
本発明によるバッテリケースは、一枚の金属板からなり、主面板、主面板に対して垂直な第１の側面板及び第１の側面板と平行に向かい合う第２の側面板とを有する別の三面カバーと、別の三面カバーに固定され、主面板と平行に向かい合う枠状の別のフレーム部材と、別の三面カバー、別のフレーム部材及び着脱カバーによって構成される別の筒状体の下部を閉塞する底板とさらに備え、着脱カバーは、フレーム部材の開口部を閉塞するよう、フレーム部材に固定されるとともに、別のフレーム部材の開口部を閉塞するよう、別のフレーム部材に固定されていても構わない。これによれば、より大容量のバッテリケースを提供することが可能となる。
【００１４】
この場合、筒状体の内部と別の筒状体の内部を区画する中板をさらに備えていても構わない。これによれば、上部の筒状体に収容するバッテリモジュールを中板によって支持することが可能となる。さらにこの場合、中板は配線を通すことが可能な開口部を有していても構わない。これによれば、上下のバッテリモジュールを接続することが可能となる。
【発明の効果】
【００１５】
このように、本発明によれば、防水性に優れ、かつ、より軽量で、製造コストが低減されたバッテリケース及びこれを用いた蓄電池システムを提供することができる。
【図面の簡単な説明】
【００１６】
【図１】図１は、本発明の第１の実施形態によるバッテリケース１の外観を示す略斜視図である。
【図２】図２は、バッテリケース１の略分解斜視図である。
【図３】図３は、バッテリケース１からフレーム部材２０、着脱カバー３０及び天板４０を外した状態を示す図である。
【図４】図４は、三面カバー１０、フレーム部材２０、着脱カバー３０及び天板４０を相互に固定する方法を説明するための模式図である。
【図５】図５は、フレーム部材２０を三面カバー１０に固定した状態を示す部分拡大図である。
【図６】図６は、つなぎ金具７０の外観を示す略斜視図である。
【図７】図７は、フランジ部１２ａとフランジ部１４ａの接続部近傍の部分拡大図である。
【図８】図８は、三面カバー１０につなぎ金具７０を取り付けた状態を示す部分拡大図である。
【図９】図９は、天板４０の部分的な拡大図である。
【図１０】図１０は、第１の変形例の主要部を示す略分解斜視図である。
【図１１】図１１は、第２の変形例の主要部を示す略分解斜視図である。
【図１２】図１２は、第３の変形例の主要部を示す略分解斜視図である。
【図１３】図１３は本実施形態によるバッテリケース１の使用例を示す図であり、（ａ）は略断面図、（ｂ）は透視側面図である。
【図１４】図１４は、領域Ａの拡大図である。
【図１５】図１５は、本発明の第２の実施形態によるバッテリケース２の外観を示す略斜視図である。
【図１６】図１６は、バッテリケース２の略分解斜視図である。
【発明を実施するための形態】
【００１７】
以下、添付図面を参照しながら、本発明の好ましい実施形態について詳細に説明する。
【００１８】
＜第１の実施形態＞
図１は本発明の第１の実施形態によるバッテリケース１の外観を示す略斜視図である。また、図２はバッテリケース１の略分解斜視図である。
【００１９】
図１及び図２に示すように、本発明の第１の実施形態によるバッテリケース１は、三面カバー１０、フレーム部材２０、着脱カバー３０、天板４０及び底板５０によって構成されている。これら各部材１０，２０，３０，４０，５０は、いずれも金属材料からなる。バッテリケース１からフレーム部材２０、着脱カバー３０及び天板４０を外した状態である図３に示すように、バッテリケース１内には、バッテリモジュールＢや制御ボックスＨが収容され、これにより蓄電池システムが構成される。バッテリケース１は、固定金具６を介して土台７に固定される。さらに、バッテリケース１には、制御ボックスＨに接続される電線管８が設けられている。
【００２０】
三面カバー１０は、一枚の金属板、例えばカラー鋼板と呼ばれる先塗装材が折り曲げ加工された部材であり、主面板１１、側面板１２，１３、折り返し部１４，１５を備えている。主面板１１及び折り返し部１４，１５はＸＺ面を構成し、側面板１２，１３はＹＺ面を構成する。したがって、主面板１１と側面板１２，１３は互いに垂直である。主面板１１と折り返し部１４，１５はＹ方向に向かい合い、側面板１２と側面板１３はＸ方向に向かい合う。折り返し部１４は、側面板１２のＹ方向における端部がＸ方向に折り曲げられた部分である。一方、折り返し部１５は、側面板１３のＹ方向における端部がＸ方向に折り曲げられた部分である。図１及び図２に示す三面カバー１０は、Ｙ方向における長さ（奥行き）よりも、Ｘ方向における長さ（幅）の方が大きい。つまり、ＸＺ面が長側面を構成し、ＹＺ面が短側面を構成する。
【００２１】
このように、本実施形態によるバッテリケース１は、一枚の金属板が折り曲げ加工されてなる三面カバー１０を用いていることから、三面カバー１０につなぎ目が存在せず、高い防水性を得ることが可能となる。特に、三面カバー１０の材料として先塗装材を使用すれば、大幅なコストダウンが図ることができる。三面カバー１０を構成する金属板の厚みが薄い場合、強度が不足するおそれがあるが、本実施形態においては、三面カバー１０の上端部及び下端部を内側に折り曲げることによってフランジ部１１ａ〜１５ａ，１１ｂ〜１５ｂが設けられており、これによって三面カバー１０の強度が高められている。フランジ部１１ａ，１１ｂは、主面板１１の上下端部を内側に折り返した部分であり、フランジ部１２ａ，１２ｂは、側面板１２の上下端部を内側に折り返した部分であり、フランジ部１３ａ，１３ｂは、側面板１３の上下端部を内側に折り返した部分であり、フランジ部１４ａ，１４ｂは、折り返し部１４の上下端部を内側に折り返した部分であり、フランジ部１５ａ，１５ｂは、折り返し部１５の上下端部を内側に折り返した部分である。フランジ部１１ａ〜１５ａ，１１ｂ〜１５ｂは、いずれもＸＹ平面を構成する。
【００２２】
フレーム部材２０は枠状であり、主面板１１とＹ方向に向かい合うよう三面カバー１０に固定される。着脱カバー３０は板状であり、フレーム部材２０の開口部２０ａを閉塞するよう、ネジなどを用いてフレーム部材２０に着脱可能に固定される。これにより、三面カバー１０、フレーム部材２０及び着脱カバー３０によって筒状体が構成され、その上部が天板４０によって閉塞され、下部が底板５０によって閉塞される。
【００２３】
図４は、三面カバー１０、フレーム部材２０、着脱カバー３０及び天板４０を相互に固定する方法を説明するための模式図である。
【００２４】
図４に示すように、フレーム部材２０は、開口部２０ａを囲む接続面２１と、接続面２１のＸ方向における外側に位置する突出部２２と、接続面２１のＺ方向における外側に位置するフランジ部２３とを有している。突出部２２のＸ方向における端部はＹ方向に折り曲げられてフランジ部２２ａを構成する。フランジ部２２ａ，２３は、フレーム部材２０の強度を高める役割を果たす。フレーム部材２０を構成する金属板の厚みは、三面カバー１０を構成する金属板の厚みよりも厚くても構わない。これによれば、軽量化のために三面カバー１０を構成する金属板の厚みを薄くしても、フレーム部材２０による補強によって全体の機械的強度を高めることが可能となる。
【００２５】
フレーム部材２０を三面カバー１０に固定する際には、突出部２２に防水両面テープ６２を貼り付けた状態で、突出部２２の外側面と折り返し部１４（及び１５）の内側面を向かい合わせ、この状態でネジ８２を用いて両者を固定する。これにより、突出部２２の外側面と折り返し部１４（及び１５）の内側面の界面を防水した状態で、フレーム部材２０と三面カバー１０が強固に固定される。フレーム部材２０は、三面カバー１０から取り外す必要がないことから、ネジ８２の代わりにリベットなどを用いても構わない。
【００２６】
着脱カバー３０をフレーム部材２０に固定する際には、接続面２１に防水クッション６１を貼り付けた状態で、接続面２１と着脱カバー３０を向かい合わせ、この状態でネジ８１を用いて両者を固定する。これにより、接続面２１と着脱カバー３０の界面を防水した状態で、着脱カバー３０とフレーム部材２０が強固に固定される。また、ネジ８１を用いて着脱カバー３０をフレーム部材２０に固定していることから、着脱カバー３０は着脱自在となる。
【００２７】
着脱カバー３０をフレーム部材２０に固定すると、図５に示すように、着脱カバー３０のフランジ部２３の端部（ＹＺ端面）とフレーム部材２０のフランジ部１４ａの端部（ＹＺ端面）が向かい合い、好ましくは、フランジ部２３のＸＹ平面とフランジ部１４ａのＸＹ平面が同一平面を構成する。図示しないが、フランジ部２３とフランジ部１５ａについても同様である。これにより、フランジ部１１ａ〜１５ａとフランジ部２３は、ほぼ平坦なリング状のＸＹ平面を構成する。このようにして形成されたリング状のＸＹ平面にはパッキン６４が貼り付けられ、パッキン６４を介して天板４０が固定される。このように、パッキン６４は、フランジ部２３とフランジ部１４ａのつなぎ目を跨ぐように設けられる。これにより、三面カバー１０、フレーム部材２０及び着脱カバー３０からなる筒状体と天板４０の界面がパッキン６４によって防水される。
【００２８】
底板５０についても同様であり、リング状のＸＹ平面を構成するフランジ部１１ｂ〜１５ｂ及びフランジ部２３に図示しないパッキンが貼り付けられ、このパッキンを介して底板５０が固定される。底板５０側のパッキンについても、フランジ部２３とフランジ部１４ｂ，１５ｂのつなぎ目を跨ぐように設けられる。
【００２９】
また、図５に示すように、フランジ部１２ａとフランジ部１４ａの境界に位置する角部には、防水両面テープ６６が貼り付けられ、防水両面テープ６６上につなぎ金具７０が接着される。つなぎ金具７０形状は図６に示されており、Ｌ字型の板状部７１と、板状部７１の屈曲部分に設けられた突起部７２を有している。板状部７１には、２つの貫通孔７１ａ，７１ｂが形成されている。そして、つなぎ金具７０は、板状部７１を防水両面テープ６６に接着することによって三面カバー１０に固定される。つなぎ金具７０を三面カバー１０に固定すると、突起部７２がＺ方向に突出する。
【００３０】
図７に示すように、フランジ部１４ａ，１２ａにはそれぞれ貫通孔７３ａ，７３ｂが設けられており、つなぎ金具７０は、貫通孔７１ａと貫通孔７３ａが重なり、且つ、貫通孔７１ｂと貫通孔７３ｂが重なるよう三面カバー１０に接着される。そして、図８に示すように、貫通孔７１ａ，７３ａにリベット７４ａを挿入し、貫通孔７１ｂ，７３ｂにリベット７４ｂを挿入することにより、つなぎ金具７０が三面カバー１０に強固に固定される。これらの構成は、反対側に位置するフランジ部１３ａ，１５ａにおいても同様である。
【００３１】
図９は、天板４０の部分的な拡大図である。図９に示すように、天板４０は、ＸＹ平面を構成する天井部４１と、ＹＺ平面を構成する側面部４２と、ＸＺ平面を構成する側面部４３とを有している。天井部４１は、三面カバー１０、フレーム部材２０及び着脱カバー３０からなる筒状体の上部開口部を閉塞する部分であり、側面部４２は三面カバー１０の側面板１２，１３をＸ方向から覆う部分であり、側面部４３は三面カバー１０の主面板１１、並びに、折り返し部１４，１５及び着脱カバー３０をＹ方向から覆う部分である。天井部４１には貫通孔４４が設けられており、天板４０を固定する際、つなぎ金具７０の突起部７２を貫通孔４４に挿入することによって、天板４０が位置決めされる。
【００３２】
以上説明したように、本実施形態によるバッテリケース１は、一枚の金属板を折り曲げ加工してなる三面カバー１０を用いていることから、防水性に優れるとともに、軽量化及び低コスト化を実現することが可能となる。しかも、三面カバー１０の折り返し部１４，１５にはフレーム部材２０が固定されることから、三面カバー１０の材料として比較的薄い先塗装材を用いた場合であっても、十分な機械的強度を確保することが可能となる。さらに、フレーム部材２０に固定される着脱カバー３０は着脱自在であることから、設置後におけるバッテリモジュールの交換も容易であり、高いメンテナンス性を得ることもできる。また、フレーム部材２０が長側面であるＸＺ面に設けられていることから、フレーム部材２０の開口部２０ａの面積を十分に確保することができ、バッテリモジュールの交換作業がしやすくなる。
【００３３】
尚、上述したバッテリケース１は、長側面であるＸＺ面にフレーム部材２０及び着脱カバー３０を設けた構成を有しているが、本発明においてこの点は必須ではない。例えば、図１０に示す第１の変形例のように、主面板１１が短側面であるＹＺ面を構成し、側面板１２，１３が長側面であるＸＺ面を構成する三面カバー１０Ａを用い、フレーム部材２０Ａを短側面であるＹＺ面に接続する構成であっても構わない。これによれば、三面カバー１０Ａによって覆われる面積が拡大することから、防水性がより高められるとともに、機械的強度がより高められる。
【００３４】
さらに、上述したバッテリケース１は、ネジ８２を用いてフレーム部材２０を三面カバー１０に固定しているが、本発明においてこの点は必須ではない。例えば、図１１に示す第２の変形例のように、三面カバー１０Ｂにカシメ部１４Ｂ，１５Ｂを設けるとともに、フレーム部材２０Ｂにカシメ部２４Ｂ，２５Ｂを設け、カシメ部１４Ｂ，２４Ｂを係合させ、カシメ部１５Ｂ，２５Ｂを係合させた状態でカシメ加工することにより、フレーム部材２０Ｂを三面カバー１０Ｂに固定しても構わない。これによれば、三面カバー１０Ｂとフレーム部材２０Ｂの接続部分における防水性をより高めることが可能となる。
【００３５】
さらに、図１２に示す第３の変形例のように、三面カバー１０Ｃのカシメ部１４Ｃ，１５Ｃとフレーム部材２０Ｃのカシメ部２４Ｃ，２５Ｃをカシメ加工するとともに、三面カバー１０Ｃとフレーム部材２０Ｃの境界を覆うよう、つなぎ金具７０ａ及び防水板７０ｂを設けても構わない。つなぎ金具７０ａの板状部７１は、フランジ部１２ａ，２３の境界を覆っている。さらに、つなぎ金具７０ａは、板状部７１を９０°折り曲げた折り返し部７３を有しており、折り返し部７３によってＸＺ面に露出する三面カバー１０Ｃとフレーム部材２０Ｃの境界の上部が覆われている。ＸＺ面に露出する三面カバー１０Ｃとフレーム部材２０Ｃの境界の下部は、防水板７０ｂによって覆われる。このように、三面カバー１０Ｃとフレーム部材２０Ｃをカシメ加工によって固定するとともに、つなぎ金具７０ａ及び防水板７０ｂによって境界部分を覆えば、より防水性能が高められる。
【００３６】
図１３は本実施形態によるバッテリケース１の使用例を示す図であり、（ａ）は略断面図、（ｂ）は透視側面図である。
【００３７】
図１３に示す使用例では、２つのバッテリケース１Ａ，１Ｂが積層された構成を有しており、下側に位置するバッテリケース１ＡにはバッテリモジュールＢ１が収容され、上側に位置するバッテリケース１ＢにはバッテリモジュールＢ２及び制御ボックスＨが収容されている。このため、上側に位置するバッテリケース１Ｂは、下側に位置するバッテリケース１ＡよりもＺ方向における高さが拡大されている。バッテリケース１Ａ，１Ｂの接続は、領域Ａの拡大図である図１４に示すように、Ｌ字型の固定金具９０が用いられる。固定金具９０は、ネジ９１によって上側の底板５０にネジ止めされるとともに、接着剤９２によって下側の天板４０に固定される。
【００３８】
さらに、図１３に示す使用例では、バッテリケース１Ａ，１Ｂの側面が電線管カバー１００で覆われている。電線管カバー１００は、配線箱１０１〜１０３と電線管１０４ａ，１０４ｂを覆う金属製のカバーである。ここで、上側に位置するバッテリケース１Ｂの天板４０ＢのＸ方向における幅は、三面カバー１０だけでなく、三面カバー１０と電線管カバー１００の両方を覆う大きさを有している。
【００３９】
電線管１０４ａ，１０４ｂは、それぞれ動力線ＰＣ１及び信号線ＳＣ１を収容する。動力線ＰＣ１は、配線箱１０１に設けられたグロメット１０１ａを介して、制御ボックスＨの外部動力端子Ｈ１ａに接続される。また、信号線ＳＣ１は、配線箱１０１に設けられたグロメット１０１ｂを介して、制御ボックスＨの外部信号端子Ｈ１ｂに接続される。制御ボックスＨは、内部動力端子Ｈ２ａ及び内部信号端子Ｈ２ｂをさらに有している。内部動力端子Ｈ２ａは、動力線ＰＣ２を介して、バッテリモジュールＢ１，Ｂ２の動力端子Ｂ１ａ，Ｂ２ａに接続される。また、内部信号端子Ｈ２ｂは、信号線ＳＣ２を介して、バッテリモジュールＢ１，Ｂ２の信号端子Ｂ１ｂ，Ｂ２ｂに接続される。
【００４０】
ここで、上側のバッテリケース１Ｂに収容された制御ボックスＨと、下側のバッテリケース１Ａに収容されたバッテリモジュールＢ１の接続は、配線箱１０２に設けられたグロメット１０２ａ，１０２ｂと、配線箱１０３に設けられたグロメット１０３ａ，１０３ｂを介して行われる。
【００４１】
このように、複数のバッテリケース１Ａ，１Ｂを積み重ねて使用することによってより大容量の蓄電池システムを構成することが可能である。
【００４２】
＜第２の実施形態＞
図１５は本発明の第２の実施形態によるバッテリケース２の外観を示す略斜視図である。また、図１６はバッテリケース２の略分解斜視図である。
【００４３】
図１５及び図１６に示すように、本発明の第２の実施形態によるバッテリケース２は、２つの三面カバー１０Ｄ，１０Ｅ、２つのフレーム部材２０Ｄ，２０Ｅ、着脱カバー３０Ａ、天板４０、底板５０及び中板１１０によって構成されている。三面カバー１０Ｄ，１０Ｅの基本的な形状は第１の実施形態において用いた三面カバー１０と同じであるが、下側に位置する三面カバー１０Ｄよりも上側に位置する三面カバー１０Ｅの方がＺ方向における高さが大きい。フレーム部材２０Ｄ，２０Ｅについても、それぞれ三面カバー１０Ｄ，１０Ｅに対応するサイズを有している。フレーム部材２０Ｄ，２０Ｅの基本的な形状は第１の実施形態において用いフレーム部材２０と同じである。着脱カバー３０Ａは、フレーム部材２０Ｄ，２０Ｅに対して共通であり、フレーム部材２０Ｄ，２０Ｅの両方の開口部を閉塞する。中板１１０は、上側の筒状体の内部と下側の筒状体の内部を区画する。
【００４４】
本実施形態によるバッテリケース２は、下側に位置する三面カバー１０Ｄ、フレーム部材２０Ｄ及び着脱カバー３０Ａによって構成される筒状体の内部に例えば２個のバッテリモジュールを収容し、上側に位置する三面カバー１０Ｅ、フレーム部材２０Ｅ及び着脱カバー３０Ａによって構成される筒状体の内部に例えば２個のバッテリモジュールと制御ボックスを収容することができる。これによって、より大容量の蓄電池システムを構成することが可能となる。
【００４５】
ここで、下側の筒状体に収容されるバッテリモジュールは底板５０によって支持され、上側の筒状体に収容されるバッテリモジュール及び制御ボックスは中板１１０によって支持される。中板１１０には配線を通すことが可能な開口部１１１が設けられており、下側の筒状体に収容されるバッテリモジュールは、開口部１１１を通過するケーブルを介して、上側の筒状体に収容される制御ボックスに接続される。
【００４６】
このように、本実施形態によるバッテリケース２は、中板１１０を介して複数の三面カバー１０Ｄ，１０Ｅが上下に連結された構成を有していることから、より大容量の蓄電池システムを構成することが可能となる。
【００４７】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００４８】
例えば、第１の実施形態においては、防水部材として、防水クッション６１、防水両面テープ６２，６６及びパッキン６４を用いているが、本発明において使用する防水部材がこれらに限定されるものではない。
【符号の説明】
【００４９】
１，１Ａ，１Ｂ，２    バッテリケース
６    固定金具
７    土台
８    電線管
１０，１０Ａ〜１０Ｅ    三面カバー
１１    主面板
１１ａ〜１５ａ，１１ｂ〜１５ｂ    フランジ部
１２，１３    側面板
１４，１５    折り返し部
１４Ｂ，１５Ｂ，２４Ｂ，２５Ｂ，１４Ｃ，１５Ｃ，２４Ｃ，２５Ｃ    カシメ部
２０，２０Ａ〜２０Ｅ    フレーム部材
２０ａ    開口部
２１    接続面
２２    突出部
２２ａ，２３    フランジ部
３０，３０Ａ    着脱カバー
４０，４０Ｂ    天板
４１    天井部
４２，４３    側面部
４４    貫通孔
５０    底板
６１    防水クッション
６２，６６    防水両面テープ
６４    パッキン
７０，７０ａ    金具
７０ｂ    防水板
７１    板状部
７１ａ，７１ｂ，７３ａ，７３ｂ    貫通孔
７２    突起部
７４ａ，７４ｂ    リベット
８１，８２    ネジ
９０    固定金具
９１    ネジ
９２    接着剤
１００    電線管カバー
１０１〜１０３    配線箱
１０１ａ，１０１ｂ，１０２ａ，１０２ｂ，１０３ａ，１０３ｂ    グロメット
１０４ａ，１０４ｂ    電線管
１１０    中板
１１１    開口部
Ｂ，Ｂ１，Ｂ２    バッテリモジュール
Ｂ１ａ，Ｂ２ａ    動力端子
Ｂ１ｂ，Ｂ２ｂ    信号端子
Ｈ    制御ボックス
Ｈ１ａ    外部動力端子
Ｈ１ｂ    外部信号端子
Ｈ２ａ    内部動力端子
Ｈ２ｂ    内部信号端子
ＰＣ１，ＰＣ２    動力線
ＳＣ１，ＳＣ２    信号線
【要約】
【課題】防水性に優れ、かつ、より軽量で、製造コストが低減されたバッテリケースを提供する。
【解決手段】バッテリケース１は、一枚の金属板からなり、主面板１１及び側面板１２，１３を有する三面カバー１０と、三面カバーに固定されたフレーム部材２０と、フレーム部材２０の開口部２０ａを閉塞するよう、フレーム部材２０に着脱可能に固定された着脱カバー３０と、三面カバー１０、フレーム部材２０及び着脱カバー３０によって構成される筒状体の上部及び下部をそれぞれ閉塞する天板４０及び底板５０とを備える。このように、三面カバー１０が一枚の金属板からなることから、高い防水性を得ることできるとともに、部品点数が少ないことから軽量化を図ることが可能となる。しかも、着脱カバーが着脱可能であることから、設置後におけるバッテリモジュールの交換も容易であり、メンテナンス性が高められる。
【選択図】図２【図１】
0006989040.tif 000002
【図２】
0006989040.tif 000003
【図３】
0006989040.tif 000004
【図４】
0006989040.tif 000005
【図５】
0006989040.tif 000006
【図６】
0006989040.tif 000007
【図７】
0006989040.tif 000008
【図８】
0006989040.tif 000009
【図９】
0006989040.tif 000010
【図１０】
0006989040.tif 000011
【図１１】
0006989040.tif 000012
【図１２】
0006989040.tif 000013
【図１３】
0006989040.tif 000014
【図１４】
0006989040.tif 000015
【図１５】
0006989040.tif 000016
【図１６】
0006989040.tif 000017